(57)【要約】      （修正有）【課題】車輌の車外ボディに掲示する広告を、容易にかつ経済的に変更できるアドマグネットシートを提供する。【解決手段】アドマグシート４は、広告を印刷したビニールシート２からなる表面と、マグネット合金の粉末に接着剤を混合した磁力性の高い液体を塗着した裏面３からなり、鋼板ボディ５を有する車両に張り付けて使用する。さらに、車両走行による振動や空気抵抗等により剥がれることを防止するため、上端部および車両走行方向の先端部分に磁力性の高い液体を帯状に塗着しても良い。【選択図】図１
0003153820.tif 000002
【実用新案登録請求の範囲】
【請求項１】
磁力性鋼板ボディで出来ているトラック、バス、乗用車及び列車等（以下「車両」という）の車両ボディの外側に、広告をプリントしたマグネットシート（以下「アドマグシート」という）を張り付けて広告をする方法で、そのアドマグシートとは極薄ビニール製シート（１）に、表面にはポスター等広告用のデザイン（２）をプリントし、その反対側の裏面には磁力性のあるフェライト鉱石等を主とした粉末を、約２〜８ｍｍの厚さにしてビニール製シート（１）にマグネット（３）を貼り付けした一体として総称する１枚のアドマグシート本体（４）を、車両ボディ（５）に貼り付けて広告をするが、該車両の多少の凸凹や車両が高速運転時の空気や雨の抵抗にも剥がれないように車両進行方向先端及びシート上部に位置する部分等に帯状のマグネットシート（６）を、該車両ボディ（５）に張り付ける一体型マグネットシートとして広告をする機能を備えたアドマグシート。
【請求項２】
請求項１とは異なり、磁力性鋼板車両ボディに張り付けるアドマグシート本体（４）は、該車両の多少の凸凹や車両が高速運転時の空気や雨の抵抗にも貼り付けしたシート剥がれないように、マグネットシート本体のプリント面と反対の裏側（３）に、車両進行方向先端及びシート上部に位置する部分等に、帯状のマグネットシート（６）を更に該アドマグシート本体（４）に貼り付けて磁力を強力なものとし広告をする機能を備えたアドマグシート。
【請求項３】
非磁力性アルミ板等車両ボディにアドマグシート本体（４）を張り付ける場合、該車両の多少の凸凹や車両が高速運転時の空気や雨の抵抗にも貼り付けしたシート剥がれないように、該車両ボディは非磁力性なので該アドマグシート本体（４）は貼り付けができないので、該アドマグシートが貼り付けが可能な様に、ビニール製シートの表面には鉄粉等を薄く貼り付けて、鋼鈑性の効果と同様な磁力性車両ボディとなさしめて、非磁力性車両ボディに該シート裏面に接着剤を塗りつけて該車両ボディに貼り付けし、その上から該アドマグシート本体（４）を磁力により貼り付ける一体型マグネットシートとして広告をする機能を備えたアドマグシート。
【請求項４】
非磁力性アルミ板等車両ボディに該アドマグシート本体（４）を張り付ける場合、該車両の多少の凸凹や車両が高速運転時の空気や雨の抵抗にも貼り付けした該アドマグシート本体（４）が剥がれないように、該車両ボディ（５）全体に裏面を接着剤を薄く塗りつけて表面はマグネットを薄く塗りつけた通常のマグネットシートを、始めに車両ボディに貼り付けをし、非磁力性ボディを磁力性車両ボディに性質を変更した上で、アドマグシート本体（４）を磁力で貼り付けることとした、一体型マグネットシートとして広告をする機能を備えたアドマグシート。
【請求項５】
磁力性鋼板ボディ及び非磁力性アルミ板等車両のボディに貼り付けるアドマグシート本体（４）は、該車両の多少の凸凹や車両が高速運転時の空気や雨の抵抗にも貼り付けしたシートが剥がれないように、１枚のアドマグシート本体（４）を磁力性鋼板車両ボディ（５）にはそのまま張り付ける、又、非磁力性アルミボディには請求項３及び請求項４に記載の処置を施した上で該アドマグシートを貼り付けた後に、進行方向先端及びシート上部に位置する部分等に、該アドマグシート上部から粘着テープ（７）で帯状に張り付けて、一体型として広告をする機能を備えたアドマグシート。
【請求項６】
磁力性鋼板及び非磁力性アルミ板等車両のボディ（５）に、貼り付けるアドマグシート本体（４）は、該車両の多少の凸凹や車両が高速運転時の空気や雨の抵抗にも貼り付けしたシート剥がれないように、車両進行方向先端に空気抵抗ストッパー（８）を取付けて、車両ボディと該シートとの隙間への空気の進入を防ぎ、該マグネットシートの空気や雨の抵抗を少なくして該抵抗からくる該アドマグシート本体（４）を剥がれないようにした、一体型として広告をする機能を備えたアドマグシート。
【請求項７】
磁力性鋼板及び非磁力性アルミ板等車両のボディ（５）に、貼り付けるアドマグシート本体（４）は、磁力が強力に働き剥がれにくくしているため、広告を変更するときに容易に剥がれないもので、広告変更時には簡単に剥がれやすくするため、該アドマグシート本体（４）の車両進行方向の後ろ隅部分（９）を非磁力性のプラスチック等の非磁力性物質を接着剤で貼り付けをして、広告変更時の作業が円滑に行われるように剥がれやすくした機能を備えたアドマグシート。
【考案の詳細な説明】
【技術分野】
【０００１】  現在使用されているバス、トラック、乗用車及び列車等（以下「車両」という）の車両ボディにポスター類等の絵をペイントして、又は薄いビニールシートにポスター等をプリントしたものを接着剤により車両に貼り付けて広告宣伝をしているが、本考案は、車両ボディに直接にペイントやデザインシートを接着剤により貼り付けるものでなく、ポスター類の絵をペイントしたマグネットシート（以下「アドマグシート」という）を、該車両ボディに磁力の力を利用して貼り付ける方法で広告するもの。
【背景技術】
【０００２】  一般に車両の車外ボディに広告デザインをペイントして広告する方法、又は、広告ポスターの印刷されたビニール製シートを接着剤により貼り付けて広告をする方法は、それぞれ、ペイントする又はペイントの溶剤を除去する時間と費用及びビニールシートを皺無く張り付け又は貼り付けた接着剤を車両ボディより除去する時間と費用が大幅にかかり高額の工事費用となり、広告の使命である即時に広告する必要があるタイムリーな広告には採用されない方式であり、広告の書き換え及び張替え作業は大変時間を要し、その間該車両は運行ができなく車両運行会社の会社経営においてもマイナスを生じる等の不便等、さまざまな問題点がある。
【考案の開示】
【考案が解決しようとする課題】
【０００３】  本考案は、上記従来の欠点を解決するもので、その目的とする所は、車両ボディ広告のポスター変更に関しては、瞬時に短時間で、又、広告変更費用を極端に安すくしてポスターを変更できるようにしたものである。
又、既存の使用されているマグネットビニールシートは、強力な磁力を含んだマグネットシートでないため、車両の高速運転時に生じるシートの空気抵抗から剥がれ易いものであり、剥がれないものとしなければならない。
【課題を解決するための手段】
【０００４】  上記の解決すべき広告変更の際に生じる広告変更費用と時間を低額且つ短時間にし、又、該車両の多少の凸凹や車両高速運行時に該アドマグシートが空気や雨ｗの抵抗から剥がれないようにするために以下の手段を採用する。
▲１▼  磁力性鋼鈑ボディに、アドマグシートを磁力の力で車両に貼り付ける場合、アドマグシートの貼り付け位置の上部及び車両進行方向先端部分にマグネットシートを帯状に、該車両ボディに接着剤を使用して貼り付けをする。
▲２▼  磁力性鋼鈑ボディに、アドマグシートを磁力の力で車両に貼り付ける場合、アドマグシート本体に対して、該シート上部及び車両進行方向先端部分に帯状にマグネットシートを貼り付けをして、更に強力な磁力を生じさせたもので、帯状部分を２重マグネットシート構造とする。
▲３▼  非磁力性アルミ板等ボディに、アドマグシートを磁力の力で車両に貼り付ける場合、車両ボディに、鉄粉等の磁力性のある粉末をビニールシート全体に薄く貼り付けをしたシートを車両ボディに接着剤等で貼り付けをして磁力性ある鋼板に性質を変更させて、その上から該アドマグシートを磁力の力で貼り付けをする。
▲４▼  非磁力性アルミ板等ボディに、アドマグシートを磁力の力で車両に貼り付ける場合、車両ボディに、通常のマグネットシートをあらかじめ接着剤等で貼り付けをし、磁力性ある車両ボディに性質を変更させて、その上から該アドマグシートを磁力の力で貼り付けをする。
▲５▼  磁力性鋼板ボディ及び非磁力性アルミ板等ボディに、アドマグシートを磁力の力で車両に貼り付ける場合、磁力性鋼板ボディにはアドマグシートをそのまま貼り付けをして、又、非磁力性アルミ板等ボディには、上記▲３▼▲４▼に記載する処置をした上で貼り付けをし、貼り付けたアドマグシートの上から該シート上部及び車両進行方向先端部分に粘着テープを使用して貼り付け、貼り付け効果を更に高める。
▲６▼  磁力性鋼板ボディ及び非磁力性アルミ板等ボディの該シートの車両進行方向先端部分に車両運行時の空気抵抗を少なくするため、吸気抵抗ストッパーを取付ける。
又、強力に貼り付けた該アドマグシートを広告変更時には、簡単に剥がすことが要求され、簡単に剥がれやすくするため車両進行方向後方部分の下隅部分を非磁力性のプラスチック等を接着剤で貼り付けをして、該シートが剥がれやすくした。
【考案の効果】
【０００５】  本考案は、従来の車両ボディ等に直接広告デザインをペイントする、又は、広告デザインをプリントしたビニールシートを接着剤で貼り付けて広告宣伝する方法とは別に、外部で広告デザインをプリントしたアドマグシートを車両の磁力性鋼板ボディ及び非磁力性アルミ板等ボディの２種類の車両ボディに貼り付けることで、簡単に広告ができ、又広告の変更も瞬時にでき、費用、時間、作業労力が削減でき、その他に該車両の運行を取りやめる時間を大幅に短縮し、会社経営にも大きく貢献する効果がある。
又、既存のマグネットシートとは違い、高速運転時に生じる該シートとの空気や雨の抵抗から生じる剥がれやすさを防ぐため、磁力が強力に生じるように施した該シートが剥がれにくく長期に貼り付け可能なものとしたものである。
又、広告変更時には、該アドマグシートが簡単に剥がれるように車両進行方向後方の下隅部分にプラスチック類を貼り付けたシートにして、変更工事には該シートを剥がれやすくした。
【考案を実施するための最良の形態】
【０００６】  本考案の最良の用法を説明すると、別の場所で製品として製造した広告用デザインをプリントしたアドマグネットシートを、車両ボディに磁力の力で貼り付けるだけで、広告宣伝のポスターの変更を簡単にしたもので、大別すれば、磁力性鋼板ボディ及び非磁力性アルミ板等ボディの２種類の車両ボディに、該車両の多少の凸凹や車両運転時に生じる空気や雨の抵抗から生じる剥がれやすさを防ぐため、以下の方法を使用して長期に安定して車両ボディに該アドマグシートを貼り付けるものである。
▲１▼磁力性鋼鈑ボディに、アドマグシートの貼り付け位置の上部及び車両進行方向先端部分にマグネットシートを帯状に接着剤を使用してあらかじめ貼り付けをしておく。
▲２▼アドマグシート本体の上部及び車両進行方向先端部分に、帯状にマグネットシートを貼り付け、帯状部分を２重構造とする。
▲３▼非磁力性アルミ板等の車両ボディに、鉄粉等の磁力性のある粉末をビニールシート全体に薄く貼り付けをしたシートを接着剤等で貼り付けをして、該ボディを磁力性車両ボディと変更する。
▲４▼非磁力性アルミ板等車両ボディに、上記▲３▼ではなく通常のマグネットシートをあらかじめ接着剤等で貼り付けをし、磁力性車両ボディとして変更する。
▲５▼磁力性鋼板ボディ及び非磁力性アルミ板等車両ボディに、磁力性鋼板ボディにはアドマグシートをそのまま貼り付けをして、又、非磁力性アルミ板等ボディには、上記▲３▼▲４▼に記載する処置をした上で貼り付けをし、貼り付けたアドマグシートの上から該シート上部及び車両進行方向先端部分に粘着テープを貼り付ける。
▲６▼磁力性鋼板ボディ及び非磁力性アルミ板等ボディの該シートの車両進行方向先端部分に車両運行時の空気や雨の抵抗を少なくするため、空気抵抗ストッパーを取付ける。
又、上記記載と違って、該アドマグシートを広告変更時に剥がれやすくするために、車両進行方向後方下の隅切り部分に、磁力の力を削ぎ落とすために、プラスチック等を貼り付ける。
【実施例】
【０００７】  本考案の実施例を図面について説明すると、以下のとおりである。
図１に関し、磁力性鋼鈑ボディの車両に貼り付ける、アドマグシート本体（４）は、極薄のビニールシート（１）の表面に広告デザインをプリント（２）し、その反対の裏面にフェライト鉱石の粉末（３）を薄く該ビニールシートに貼り付けし、１枚のアドマグシート本体（４）として、該車両ボディ（５）に貼り付けて広告宣伝をする。
図２に関し、磁力性鋼鈑ボディの車両ボディ（５）に該アドマグシートを貼り付ける位置の内、上部帯状部分及び車両進行方向先端部分の帯状部分（６）にマグネットシートを接着剤等を使用して始めに貼り付けをしておく。
図３に関し、該アドマグシート本体（４）の裏面の上部及び車両進行方向の先端部分の帯状に、マグネットシート（１０）を２重構造となるように貼り付けて、磁力をより強力なものとする。
図４に関し、磁力性及び非磁力性の車両ボディ（５）に、該アドマグネットシート本体（４）貼り付けした上に、該アドマグシートが剥がれないように、シート上部及び車両進行方向先端部分に粘着テープ（７）を使用して、該シートを貼り付ける。
図５に関し、磁力性及び非磁力性の車両ボディ（５）に、該アドマグネットシート本体（４）を貼り付けした他に、車両進行方向先端部分に、空気抵抗ストッパー（８）を装着して、該アドマグシート本体（４）を車両運行時に生じる空気や雨の抵抗から剥がれにくくした。
図６に関し、アドマグシート本体（４）を広告変更の際に剥がれやすくするために、車両進行方向後部の下隅切り部分を磁力を削ぎ落とすためにプラスティック等の非磁力性物質を貼り付けて剥がれやすくし、又、矢印（１１）は空気の流れる方向を示した。
【図面の簡単な説明】
【０００８】
【図１】  本考案のアドマグシートの断面図で、左側は詳細を右側はアドマグシート本体を示す断面図。
【図２】  本考案のアドマグシート本体を車両に取付けた正面図。
【図３】  本考案のシート本体を裏面側から見た正面図。
【図４】  本考案のアドマグシートを車両に貼り付けした正面から、その上に粘着テープでアドマグシートを貼り付けた正面図。
【図５】  本考案のアドマグシートに空気抵抗ストパーを取付けた上部から見た断面図。
【図６】  本考案のアドマグシートに進行方向後部の隅を表示した正面図。
【符号の説明】
【０００９】１    極薄のビニールシート
２    広告用プリント
３    マグネットシート
４    １枚のアドマグシート本体
５    磁力性鋼鈑ボディ車両及び非磁力性アルミ板等ボディ車両のボディ
６    通常のマグネットシート
７    粘着テープ
８    空気抵抗ストッパー
９    アドマグシートの車両進行方向後部隅切り部分
１０  マグネットシート
１１  車両運行時の空気の流れる方法を示す矢印
【図１】
0003153820.tif 000003
【図２】
0003153820.tif 000004
【図３】
0003153820.tif 000005
【図４】
0003153820.tif 000006
【図５】
0003153820.tif 000007
【図６】
0003153820.tif 000008
【手続補正書】
【提出日】平成21年4月1日(2009.4.1)
【手続補正１】
【補正対象書類名】実用新案登録請求の範囲
【補正対象項目名】全文
【補正方法】変更
【補正の内容】
【実用新案登録請求の範囲】
【請求項１】
アドマグシートである本体は、ビニール製の極薄のビニールシート（１）より構成され、該広告用プリント（２）には、表面に広告面を有し、裏面には、マグネット合金の粉末に接着剤を混合した磁力性の高い液状の該マグネットシート（３）を塗着して鋼板ボディを持った車両に張り付けて広告をする事を特徴とする車両取付用１枚のアドマグシート（４）。
【請求項２】
アドマグシート本体が、車両走行による風雨の空気抵抗及び振動等から剥がれにくくするように、該シート上端部及び車両進行方向先端部分に磁力性の高い液状のマグネットシート（３）を帯状に塗着し、一部分は二重にした事を特徴とする請求項１記載の車両取付用マグネットシート。
【請求項３】
１枚のアドマグシート（４）が剥がれにくくするため、該シート上端部の上から粘着テープで帯状に張り付けて一体型として使用する事を特徴とする請求項１記載の車両取付用マグネットシート。
【請求項４】
１枚のアドマグシート（４）が剥がれにくくするため、車両進行方向先端に空気抵抗ストッパー（８）を取付けて、車両ボディと該シートとの隙間への空気及び雨の侵入を防せぐ事を特徴とする請求項１記載の車両取付用マグネットシート。
【請求項５】
１枚のアドマグシート（４）が剥がれやすくなるように、該１枚のアドマグシート（４）のアドマグシートの車両進行方向後部隅切り部分（９）を非磁力性のプラスチック等の非磁力性物質を接着剤で貼り付けをして、広告変更時の作業が円滑に行われるように剥がれやすくした事を特徴とする上記請求項１記載のマグネットシート。
【手続補正２】
【補正対象書類名】明細書
【補正対象項目名】全文
【補正方法】変更
【補正の内容】
【考案の詳細な説明】
【技術分野】
【０００１】  現在使用されている車両ボディにポスター類等をペイントして、又はビニールシートにポスター等をプリントしたものを接着剤により車両に貼り付けて広告宣伝をしているが、本考案は、車両ボディにポスター類の絵をペイントしたマグネットシート（以下「アドマグシート」という）を、磁力の力を利用して該車両ボディに貼り付ける方法で広告するもの。
【背景技術】
【０００２】  一般に車両の車外ボディに広告デザインをペイントして広告する方法、又は、広告ポスターの印刷されたビニール製シートを接着剤により貼り付けて広告をする方法は、それぞれ、ペイントする又はペイントの溶剤を除去する時間と費用及びビニールシートを皺無く張り付け又は貼り付けた接着剤を車両ボディより除去する時間と費用が大幅にかかり高額の工事費用となり、広告の使命である即時に広告する必要があるタイムリーな広告には採用されない方式であり、広告の書き換え及び張替え作業は大変な時間と費用を要し、その間該車両は運行ができなく車両運行会社の会社経営においてもマイナスを生じる等の不便等、さまざまな問題点がある。
【考案の開示】
【考案が解決しようとする課題】
【０００３】  本考案は、上記従来の欠点を解決するもので、その目的とする所は、車両ボディ広告のポスター変更に関しては、瞬時に短時間で、又、広告変更費用を極端に低額でポスターを変更できるようにしたものである。
又、既存の使用されているマグネットビニールシートは、強力な磁力を含んだマグネットシートでないため、車両の高速運転時に生じるシートの空気抵抗から剥がれ易いものであり、剥がれないようにさまざまな工夫が施されなければならない。
【課題を解決するための手段】
【０００４】  上記の解決すべき広告変更の際に生じる広告変更費用と時間を低額且つ短時間にし、又、空気や雨及び振動の抵抗から剥がれないようにするために以下の手段を採用する。
▲１▼  １枚のアドマグシート（４）は、ビニール製の極薄のビニールシート（１）より構成され、該広告用プリントシート（２）には、表面に広告面を有し、裏面には、マグネット合金の粉末に接着剤を混合した磁力性の高い液状のマグネットシート（３）を塗着する。
▲２▼  磁力性鋼鈑ボディに、アドマグシートを磁力の力で車両に貼り付ける場合、上記▲１▼記載のアドマグシート本体の上部及び車両進行方向先端部分にマグネットシートを帯状に更に貼り付けた上で、該車両ボディに接着剤を使用して貼り付けをする。
▲３▼  磁力性鋼板ボディに、該シートの車両進行方向先端部分に車両運行時の空気抵抗を少なくするため、空気抵抗ストッパーを取付ける。
▲４▼  強力に貼り付けた該アドマグシートを簡単に剥がすことが要求され、簡単に剥がれやすくするため車両進行方向後方部分の下隅部分を非磁力性のプラスチック等を接着剤で貼り付けをして、該シートが剥がれやすくした。
【考案の効果】
【０００５】  本考案はアドマグシートを車両の磁力性鋼板ボディ車両に貼り付けることで、簡単に広告ができ、又広告の変更も瞬時にでき、費用、時間、作業労力が削減でき、その他に該車両の運行を取りやめる時間を大幅に短縮し、会社経営にも大きく貢献する効果がある。
又、高速運転時に生じる該シートとの空気や雨及び振動の抵抗から生じる剥がれやすさを防止することを特徴としたものである。
又、広告変更時には、該アドマグシートが簡単に剥がれるようにした。
【考案を実施するための最良の形態】
【０００６】  本考案の最良の用法を説明すると、広告用デザインをプリントしたアドマグネットシートを、車両ボディに磁力の力で貼り付けるだけで、広告宣伝のポスターの変更を簡単にしたもので、以下の方法を以って該アドマグシートを貼り付けるものである。
▲１▼アドマグシート本体の上部及び車両進行方向先端部分に、帯状にマグネットシートを貼り付け、帯状部分を２重構造とする。
▲２▼磁力性鋼板ボディにはアドマグシートをそのまま貼り付けをして、貼り付けたアドマグシートの上から該シート上部及び車両進行方向先端部分に粘着テープを貼り付ける。
▲３▼磁力性鋼板ボディの該シートの車両進行方向先端部分に車両運行時の空気や雨の抵抗を少なくするため、空気抵抗ストッパーを取付ける。
▲４▼上記記載と違って、該アドマグシートを広告変更時に剥がれやすくするために、車両進行方向後方下の隅切り部分に、磁力の力を削ぎ落とすために、プラスチック等を貼り付ける。
【実施例】
【０００７】  本考案の実施例を図面について説明すると、以下のとおりである。
図１に関し、磁力性鋼鈑ボディの車両に貼り付ける、１枚のアドマグシート（４）は、極薄のビニールシート（１）の表面に広告用プリント（２）し、その反対の裏面にフェライト鉱石の粉末マグネットシート（３）を薄く該ビニールシートに貼り付けし、１枚のアドマグシート（４）として、該磁力性鋼鈑ボディ車両（５）に貼り付けて広告宣伝をする。
図２に関し、磁力性鋼鈑ボディ車両（５）に該アドマグシートを貼り付ける位置の内、上部帯状部分及び車両進行方向先端部分の帯状部分通常のマグネットシート（６）にマグネットシートを接着剤等のより始めに貼り付けをしておく。
その後、アドマグシート本体を磁力の力で貼り付ける。
図３に関し、該１枚のアドマグシート（４）の裏面の上部及び車両進行方向の先端部分の帯状に、マグネットシート（１０）を２重構造となるように貼り付けて、磁力をより強力なものとする。
図４に関し、磁力性鋼鈑ボディ車両（５）に、該１枚のアドマグシート（４）貼り付けした上に、該アドマグシートが剥がれないように、シート上部及び車両進行方向先端部分に粘着テープ（７）を使用して、該シートを貼り付ける。
図５に関し、磁力性鋼鈑ボディ車両（５）に、該１枚のアドマグシート（４）を貼り付けした他に、車両進行方向先端部分に、空気抵抗ストッパー（８）を装着して、該１枚のアドマグシート（４）を車両運行時に生じる空気や雨の抵抗から剥がれにくくした。
図６に関し、１枚アドマグシート（４）を広告変更の際に剥がれやすくするために、車両進行方向後部の下隅切り部分をプラスティック等の非磁力性物質を貼り付けて剥がれやすくし、又、車両運行時の空気の流れる方法を示す矢印（１１）は空気の流れる方向を示した。
【図面の簡単な説明】
【０００８】
【図１】  本考案のアドマグシートの断面図で、左側は詳細を右側はアドマグシート本体を示す断面図。
【図２】  本考案のアドマグシート本体を車両に取付けた正面図。
【図３】  本考案のシート本体を裏面側から見た正面図。
【図４】  本考案のアドマグシートを車両に貼り付けした正面から、その上に粘着テープでアドマグシートを貼り付けた正面図。
【図５】  本考案のアドマグシートに空気抵抗ストッパーを取付けた上部から見た断面図。
【図６】  本考案のアドマグシートに進行方向後部の隅を表示した正面図。
【符号の説明】
【０００９】１    極薄のビニールシート
２    広告用プリントシート
３    マグネットシート
４    １枚のアドマグシート
５    磁力性鋼鈑ボディ車両
６    通常のマグネットシート
７    粘着テープ
８    空気抵抗ストッパー
９    アドマグシートの車両進行方向後部隅切り部分
１０  マグネットシート
１１  車両運行時の空気の流れる方法を示す矢印
【手続補正書】
【提出日】平成21年7月16日(2009.7.16)
【手続補正１】
【補正対象書類名】実用新案登録請求の範囲
【補正対象項目名】全文
【補正方法】変更
【補正の内容】
【実用新案登録請求の範囲】
【請求項１】
本考案のアドマグシートは、広告を印刷したビニールシートからなる表面と、マグネット合金の粉末に接着剤を混合した磁力性の高い液体を塗着した裏面からなり、鋼板ボディを有する車両に張り付くことを特徴とするアドマグシート。
【請求項２】
本考案のアドマグシートは、上端部および車両進行方向の先端部分に磁力性の高い液体を帯状に塗着し、車両走行による振動や空気抵抗等により剥がれることを防止することを特徴とする請求項１のアドマグシート。
【請求項３】
本考案のアドマグシートは、車両に接着時に上端部を粘着テープにより補強し、車両走行による振動や空気抵抗等により剥がれることを防止することを特徴とする請求項１から２いずれかのアドマグシート。
【請求項４】
本考案のアドマグシートは、車両進行方向先端に空気抵抗ストッパーを有し、車両とアドマグシートの隙間に空気や水の浸入を防ぐことを特徴とする請求項１から３いずれかのアドマグシート。
【請求項５】
本考案のアドマグシートは、車両進行方向後部隅切り部分に、広告変更時に車両から該アドマグシートを剥がしやすくすることを目的としてプラスチック等の非磁力性物質を有することを特徴とする請求項１から４いずれかのアドマグシート。